(57)【要約】  ＣＳＦＢシナリオにおける音声及び非音声通話の両方を処理する方法及びシステムが開示される。ＣＳＦＢ通話が音声通話であるか非音声通話（ＣＳデータ通話）であるかを示す表示がユーザ装置（ＵＥ）に提供される。上記表示は、無線ネットワークによりＲＲＣ接続解除メッセージまたはＣＳサービス通知メッセージを通してＵＥに提供できる。さらに、ネットワークから表示を受信する場合、ＵＥは音声通話を非音声通話と区別するために全ての音声通話に優先ビット表示を提供することによって、ＣＳＦＢ通話がターゲットＲＡＮ（ｒａｄｉｏ  ａｃｃｅｓｓ  ｎｅｔｗｏｒｋ）への非音声通話であるか音声通話であるかを示すことができる。ＲＡＮはＣＳＦＢシナリオでＵＥに対して全ての音声通話を非音声通話よりも優先する。
2015520578.tif 000002
【特許請求の範囲】
【請求項１】
回路交換フォールバック（ＣＳＦＢ）シナリオにおける音声及び非音声通話の両方を処理する方法であって、
無線ネットワークにより、ユーザ装置（ＵＥ）に、音声通話及び非音声通話のうち少なくとも一つを示す第１の指示を提供するステップと、
前記ＵＥにより、ターゲット無線アクセスネットワーク（ＲＡＮ）に前記音声通話及び非音声通話のうち少なくとも一つをルーティングし、前記ＵＥは、前記第１の指示に基づいて前記ターゲットＲＡＮを選択するステップと、
前記ＵＥにより、前記ターゲットＲＡＮに第２の指示を伝送し、前記第２の指示は、ＣＳＦＢ通話が前記音声通話及び非音声通話のうち少なくとも一つであることを示すステップと、
前記ＲＡＮにより、前記第２の指示に基づいて前記音声通話を前記非音声通話より優先するステップとを含むことを特徴とする方法。
【請求項２】
前記無線ネットワークは、コアネットワーク（ＣＮ）、アクセスネットワーク（ＡＮ）のうち少なくとも一つを含み、前記ターゲットＲＡＮは、回路交換（ＣＳ）サービスを得るために、前記ＵＥにより再指定されるＧＥＲＡＮ（ＧＳＭ（登録商標）  Ｅｄｇｅ  Ｒａｄｉｏ  Ａｃｃｅｓｓ  Ｎｅｔｗｏｒｋ）及びＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうち少なくとも一つを含むことを特徴とする請求項１に記載の方法。
【請求項３】
前記ＣＮに存在する移動管理エンティティ（ＭＭＥ）が、前記ＵＥの前記ＡＮに前記第１の指示を提供し、前記第１の指示は、前記音声通話及び非音声通話のうち少なくとも一つを示すことを特徴とする請求項２に記載の方法。
【請求項４】
前記第１の指示は、前記ＭＭＥにより、前記ＵＥの前記ＡＮにＵＥコンテキスト修正要請を通して提供され、前記ＡＮは、ＲＲＣ接続解除メッセージを通して前記第１の指示を使用することで、前記音声通話及び非音声通話のうち少なくとも一つを示すことを特徴とする請求項３に記載の方法。
【請求項５】
前記ＭＭＥにより前記ＵＥに、前記回路交換サービス通知メッセージを通して、前記音声通話及び非音声通話のうち少なくとも一つを示すための前記第１の指示を提供するステップをさらに含むことを特徴とする請求項３に記載の方法。
【請求項６】
前記ＵＥにより、前記ＣＳＦＢシナリオにおいて前記非音声通話から少なくとも一つの音声通話を区別するために、前記第２の指示で、少なくとも一つの前記音声通話に対する１ビット優先順位表示を前記ターゲットＲＡＮに提供するステップをさらに含み、前記ターゲットＲＡＮは、前記ＵＥにより提供された前記第２の指示における前記１ビット優先順位表示に基づいて、前記少なくとも一つの音声通話を前記非音声通話より優先することを特徴とする請求項１に記載の方法。
【請求項７】
モバイルスイッチングセンタ（ＭＳＣ）により、少なくとも一つのサーバから少なくとも一つの前記非音声通話を受信するステップをさらに含み、前記ＭＳＣは、前記ＭＭＥに前記非音声通話と共にページング要請を伝送することを特徴とする請求項１に記載の方法。
【請求項８】
回路交換フォールバックシナリオにおける音声及び非音声通話の両方を処理するシステムであって、
少なくとも一つのＵＥ、少なくとも一つのアクセスネットワーク（ＡＮ）、少なくとも一つのコアネットワーク（ＣＮ）を含み、前記ＣＮは、移動管理エンティティ（ＭＭＥ）を含み、
前記システムは、請求項１乃至７に記載の少なくとも一つのステップを遂行するように構成されることを特徴とするシステム。
【請求項９】
回路交換フォールバック（ＣＳＦＢ）シナリオにおける音声及び非音声通話の両方を処理するためのコアネットワーク（ＣＮ）であって、
前記ＣＮは、移動管理エンティティ（ＭＭＥ）を含み、また前記ＣＮは、ユーザ装置（ＵＥ）に音声通話及び非音声通話のうち少なくとも一つを示す指示を前記ＵＥに提供するように構成されることを特徴とするコアネットワーク。
【請求項１０】
前記ＭＭＥは、前記指示を前記ＵＥのアクセスネットワーク（ＡＮ）に伝送するように構成され、前記指示は、前記音声通話、非音声通話のうち少なくとも一つであることを特徴とする請求項９に記載のコアネットワーク。
【請求項１１】
前記指示は、前記ＭＭＥにより、前記ＵＥの前記ＡＮにＵＥコンテキスト修正要請を通して提供されることを特徴とする請求項１０に記載のコアネットワーク。
【請求項１２】
前記ＭＭＥは、前記指示を前記ＵＥにＣＳサービス通知メッセージを通して伝送するようにさらに構成されることを特徴とする請求項１０に記載のコアネットワーク。
【請求項１３】
前記ＣＮに存在するモバイルスイッチングセンタ（ＭＳＣ）が少なくとも一つのサーバから前記少なくとも一つの非音声通話を受信するように構成され、前記ＭＳＣは、前記ＣＮに存在する前記ＭＭＥに前記ＵＳＳＤ通話と共にページング要請を伝送するようにさらに構成されることを特徴とする請求項９に記載のコアネットワーク。
【請求項１４】
回路交換フォールバック（ＣＳＦＢ）シナリオにおける音声及び非音声通話の両方を処理するユーザ装置（ＵＥ）であって、
少なくとも一つのプロセッサをさらに含む集積回路と、
前記集積回路内にコンピュータプログラムコードを有する少なくとも一つのメモリと、を含み、
前記少なくとも一つのメモリ及び前記少なくとも一つのプロセッサを利用した前記コンピュータプログラムコードは、前記ＵＥが
ＣＳＦＢ通話に対して、音声通話、非音声通話のうち少なくとも一つを示す第１の指示を無線ネットワークから受信し、
ターゲット無線アクセスネットワーク（ＲＡＮ）に前記音声通話及び非音声通話のうち少なくとも一つをルーティングし、前記ＵＥは前記第１の指示に基づいて前記ターゲットＲＡＮを選択し、
前記ターゲットＲＡＮに、前記ＣＳＦＢ通話が前記音声通話及び非音声通話のうち少なくとも一つであることを示す第２の指示を提供することを特徴とするユーザ装置。
【請求項１５】
前記ＵＥは、ＲＲＣ接続解除メッセージ及び回路交換サービス通知メッセージのうち少なくとも一つを通して、前記無線ネットワークから前記第１の指示を受信するように構成されることを特徴とする請求項１４に記載のユーザ装置。
【請求項１６】
前記ＵＥは、前記ＣＮの移動管理エンティティ（ＭＭＥ）から前記回路交換サービス通知メッセージを通して、前記第１の指示を受信するように構成されることを特徴とする請求項１４に記載のユーザ装置。
【請求項１７】
前記ＵＥは、前記回路交換（ＣＳ）サービスを得るためにＧＥＲＡＮ（ＧＳＭ（登録商標）  Ｅｄｇｅ  Ｒａｄｉｏ  Ａｃｃｅｓｓ  Ｎｅｔｗｏｒｋ）及びＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のうち少なくとも一つに再指定するためにアクセスネットワークから前記ＲＲＣ接続解除メッセージを通して前記第１の指示を受信するように構成されることを特徴とする請求項１４に記載のユーザ装置。
【請求項１８】
前記ＵＥは、前記ＣＳＦＢシナリオで前記少なくとも一つの音声通話を非音声通話と区別するために、前記第２の指示を通して、前記少なくとも一つの音声通話に対する１ビット優先順位表示を前記ターゲットＲＡＮに提供するように構成されることを特徴とする請求項１４に記載のユーザ装置。
【発明の詳細な説明】
【技術分野】
【０００１】
本発明は無線通信システムに関し、特にＬＴＥ（Ｌｏｎｇ  Ｔｅｒｍ  Ｅｖｏｌｕｔｉｏｎ）ネットワークにおけるＣＳＦＢ（Ｃｉｒｃｕｉｔ  Ｓｗｉｔｃｈｅｄ  Ｆａｌｌｂａｃｋ）シナリオの音声及び非音声通話を処理することに関する。本出願は本明細書に参照形式で組み込まれている２０１２年５月１５日付のインド特許出願第１９３０／ＣＨＥ／２０１２を優先権主張し、その出願に基づく。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥは、全世界的に収容される標準として台頭しているユーザ装置（ＵＥ）のための進化した高速高容量標準である。ＬＴＥはパケット交換（ＰＳ）ドメインで運用される。現在、ＬＴＥ技術を具備したＵＥは、ＬＴＥ  ＰＳドメインを利用してデータトラフィックを処理する一方、音声トラフィックは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｒｒｅｓｔｒｉａｌ  Ｓｙｓｔｅｍ）及びＧＳＭ（登録商標）  ＥＤＧＥ無線アクセスネットワーク（ＧＥＲＡＮ）のようなレガシー（ｌｅｇａｃｙ）回路交換（ＣＳ）ネットワーク（レガシーＲＡＴ（Ｒａｄｉｏ  Ａｃｃｅｓｓ  Ｔｅｃｈｎｏｌｏｇｉｅｓ））により処理される。音声通話のようなＣＳドメイン通信をサポートするために、ＵＥはＣＳサポートレガシーＲＡＴにスイッチしなければならない。
【０００３】
３ＧＰＰ技術仕様により標準化されたＣＳＦＢ（Ｃｉｒｃｕｉｔ  Ｓｗｉｔｃｈｅｄ  Ｆａｌｌｂａｃｋ）手順は、ＵＥがＭＯ（Ｍｏｂｉｌｅ  Ｏｒｉｇｉｎａｔｅｄ）やＭＴ（Ｍｏｂｉｌｅ  Ｔｅｒｍｉｎａｔｅｄ）通話中にこのようなスイッチングを遂行できるようにする。３ＧＰＰ標準は、ＬＴＥ、及びＵＭＴＳとＧＥＲＡＮのような以前３ＧＰＰ技術の間の移動性（スイッチング）のためのインターＲＡＴ（Ｉ−ＲＡＴ）を定義する。Ｉ−ＲＡＴスイッチングのうちにレガシーＲＡＴを獲得するために、３ＧＰＰ標準は再指定基盤ＣＳＦＢ手順を提供する。
【０００４】
再指定基盤ＣＳＦＢ手順のための既存の３ＧＰＰ標準によれば、ＵＥがＬＴＥの内にあるうちにＣＳ通話が試される場合、ＵＥは拡張されたサービス要請（ＥＳＲ）手順を始める。ＥＳＲがＬＴＥネットワークのＥ−ＵＴＲＡＮノードＢ（ｅＮｏｄｅＢ）により受信される場合、ｅＮｏｄｅＢは、ＵＥがＣＳ通話のために位置を占めることができるターゲットＲＡＴ周波数を含む再指定要請と共にＲＲＣ（Ｒａｄｉｏ  Ｒｅｓｏｕｒｃｅ  Ｃｏｎｔｒｏｌ）接続解除をサポートする。
【０００５】
既存システムにおけるＣＳＦＢ手順中に、ターゲットＲＮＣ（Ｒａｄｉｏ  Ｎｅｔｗｏｒｋ  Ｃｏｎｔｒｏｌｌｅｒ）は、通話設定がＣＳＦＢによることであることを認知できない。これはＲＮＣがＣＳＦＢのＲＲＣ接続を他のタイプのＲＲＣ接続（データやシグナリングの例）よりも優先できないことを示す。さらに、ローディングされたＲＮＣで、ＲＮＣがＣＳＦＢ通話に対するＲＲＣ接続設定を優先できないと、ＣＳＦＢ通話に対して既に遅れた通話設定が意図せずに遅れることがある。
【０００６】
ＲＮＣが、通話設定がＣＳＦＢ通話によることであることを認知すると、ネットワークの過負荷状態の場合、ＣＳＦＢ通話を優先することができる。またＣＳＦＢ通話はＣＳ音声通話またはＣＳデータ通話であり得る。ＣＳＦＢは音声通話または非音声（データ）通話によって誘発される。ネットワークオペレータがＣＳデータ通話（例えばＵＳＳＤ通話、ＦＡＸ通話等）よりもＣＳ音声通話に優先順位を付与することが重要である。
【発明の概要】
【発明が解決しようとする課題】
【０００７】
上記内容を参照すると、ＬＴＥネットワークの場合はＣＳＦＢシナリオのためにＣＳ音声通話をＣＳ非音声通話と区別するための方法及びシステムが必要である。
【０００８】
本明細書内の実施形態の基本目的は、ＣＳＦＢシナリオで音声及び非音声通話の両方を処理するための方法及びシステムを提供することである。
【０００９】
本発明の他の目的は、ＣＳＦＢシナリオで音声及び非音声通話を区別して、音声通話を非音声通話よりも優先する方法を提供することである。
【課題を解決するための手段】
【００１０】
したがって、本発明は回路交換フォールバック（ＣＳＦＢ）シナリオで音声及び非音声通話の両方を処理する方法を提供し、上記方法は、無線ネットワークを通してユーザ装置（ＵＥ）に、音声通話及び非音声通話を示す第１の指示を提供するステップを含む。また上記方法は、ＵＥにより、ターゲット無線アクセスネットワーク（ＲＡＮ）で音声通話または非音声通話をルーティングするステップを含み、上記ＵＥは、第１の指示に基づいて上記ターゲットＲＡＮを選択する。また上記方法は、ＵＥにより、ターゲットＲＡＮに第２の指示を伝送するステップを含み、上記第２の指示は、上記ＣＳＦＢ通話が音声通話であるか非音声通話であるかを示す。最後に上記方法は、上記第２の指示に基づいてＲＡＮにより、音声通話を非音声通話より優先するステップを含む。
【００１１】
従って、本発明は回路交換フォールバック（ＣＳＦＢ）シナリオで音声及び非音声通話の両方を処理するためのコアネットワーク（ＣＮ）を提供し、上記ＣＮは移動管理エンティティ（ＭＭＥ）を含み、また上記ＣＮは、ユーザ装置（ＵＥ）に音声通話またはや非音声通話を示す指示を上記ＵＥに提供するように構成される。
【００１２】
従って、本発明は、回路交換フォールバック（ＣＳＦＢ）シナリオで音声及び非音声通話の両方を処理するためのユーザ装置（ＵＥ）を提供し、上記ＵＥは集積回路を含む。また上記集積回路は少なくとも一つのプロセッサ及び少なくとも一つのメモリを含む。また上記メモリは上記回路内にコンピュータプログラムコードを含む。少なくとも一つのメモリ及び上記少なくとも一つのプロセッサを利用した上記コンピュータプログラムコードは、上記ＵＥが無線ネットワークからＣＳＦＢ通話に対する第１の指示を受信するようにし、上記第１の指示は、音声通話または非音声通話を示す。また上記ＵＥは、ターゲット無線アクセスネットワーク（ＲＡＮ）に音声通話または非音声通話をルーティングするように構成され、上記ＵＥは上記第１の指示に基づいて上記ターゲットＲＡＮを選択する。また上記ＵＥは上記ターゲットＲＡＮに第２の指示を提供し、上記第２の指示は上記ＣＳＦＢ通話が音声通話であるか非音声通話であるかを示す。
【００１３】
本明細書における実施形態に対する上記及びその他の様態は、以下の説明及び添付図面と共に考慮するとより明確になる。しかし、望ましい実施形態とそれに対する数多くの特定細部事項を示す以下の内容は限定するものではなく、例示するためであることに注意する。本明細書の実施形態の範囲内でその思想を逸脱しない多くの変化及び変更が可能であり、本明細書の実施形態はそのような変更事項を全て含む。
【００１４】
本発明は添付された図面を通して例示され、図面の全体にかける類似の参照番号は多様な形態の該当構成要素を示す。本発明の実施形態は図面を参照する以下の説明からより明確に把握できる。
【図面の簡単な説明】
【００１５】
【図１】本開示の実施形態による、多様なモジュールを有するユーザ装置のブロック図を例示する。
【図２】既存技術のＣＳＦＢに対するシーケンス図を例示する。
【図３】本開示の実施形態による、ＣＳＦＢシナリオで音声及び非音声通話を処理するＵＥに指示が提供されるシーケンス図を例示する。
【図４】本開示の実施形態による、ＣＳＦＢシナリオで音声及び非音声通話の両方を処理する方法及びシステムを具現するコンピュータ環境を例示する。
【発明を実施するための形態】
【００１６】
本発明の実施形態及び多様な構成及びそれに対する望ましい細部事項は添付図面に例示され、以下の内容に詳細に説明される非限定実施形態を参照してより完全に説明される。本発明の実施形態を不明瞭にしないように、よく知られている構成要素とプロセシング技法に対する説明は省略される。本明細書内で使用される例は単に本発明の実施形態が実施できる方式を理解するためであり、当業者が本発明の実施形態を実施できるように予定されたことである。したがって、その例が本発明の実施形態の範囲を限定するものに理解されてはならない。
【００１７】
本発明の実施形態は、ユーザ装置（ＵＥ）に回路交換フォールバック（ＣＳＦＢ）通話がＬＴＥ（Ｌｏｎｇ  Ｔｅｒｍ  Ｅｖｏｌｕｔｉｏｎ）ネットワークにおける回路交換（ＣＳ）音声通話であるかＣＳ非音声（データ）通話であるかに対する指示を提供する方法及びシステムを達成する。本発明の開示方法及びシステムは、ＣＳＦＢシナリオで音声及び非音声通話の両方を処理するメカニズムを開示する。
【００１８】
一実施形態で（コアネットワーク及びアクセスネットワークの両方を含む）無線ネットワークは、ＣＳＦＢ通話がＣＳ音声通話であるかＣＳ非音声（データ）通話であるかに対する指示をＣＳＦＢインジケータと共にｅＮｏｄｅＢに提供する。また、このような指示を無線ネットワーク（例えば、移動管理エンティティ（ＭＭＥ））から受信したｅＮｏｄｅＢは上記指示を確認し、ＵＥに伝送するためにこの指示を利用する。
【００１９】
一実施形態で（コアネットワーク及びアクセスネットワークの両方を含む）無線ネットワークは、ＣＳＦＢ通話がＣＳ音声通話であるかＣＳデータ通話であるかに対する指示をＵＥに提供する。また、このような指示を無線ネットワークから受信したＵＥは、全ての音声通話に優先ビット表示を提供することで、該当ＣＳＦＢ通話を音声通話または非音声通話としてターゲット無線アクセスネットワーク（ＲＡＮ）に指示する。ＲＡＮは、ＵＥにより提供された優先ビット表示を利用してＣＳデータ通話からＣＳ音声通話を区別することができる。
【００２０】
一実施形態で、無線ネットワークは、ＣＳＦＢ途中でＣＳサービス通知メッセージまたは無線リソース制御（ＲＲＣ）接続解除再指定（ｒｅｄｉｒｅｃｔｉｏｎ）メッセージを通して、音声及び非音声通話を示す指示をＵＥに提供する。
【００２１】
また、ＲＡＮは、ＵＥへの全てのＣＳ音声通話を非音声通話より優先し、ＬＴＥネットワークのＣＳＦＢシナリオの場合に全ての音声通話に高い優先権が付与される。
【００２２】
一実施形態におけるＵＥは、無線ネットワークと通信するモバイルフォン、スマートフォン、タブレット、または、その外の電子機器であり得る。
【００２３】
一実施形態でＣＳＦＢシナリオの非音声通話またはＣＳデータは非限定的なものであって、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）通話、ファックス  （ＦＡＸ）通話などを含むことができる。
【００２４】
これから、図面全体を通して、類似の参照文字が該当構成を示す図面、特に図１乃至図４を参照して、望ましい実施形態を示す。
【００２５】
図１は、本開示の実施形態によって、多様なモジュールを有するユーザ装置のブロック図を例示する。図面に示されるように、ユーザ装置（ＵＥ）１００は、通信インターフェースモジュール１０１、電力モジュール１０２、ディスプレイモジュール１０３及びメモリモジュール１０４を含む。通信インターフェースモジュール１０１は、ＵＥが無線ネットワークに接続することを助ける。電力モジュール１０２は、ユーザ装置１００のバッテリ情報及びバッテリ電力状態を保有する。バッテリ情報は、装置が保有した電荷量及びユーザ装置１００が動作状態にある時間などを含む。ユーザ装置１００のディスプレイモジュール１０３は、ユーザがユーザ装置１００の中に、あるデータを入力できるようにする仮想キーパッドやそれ以外の手段であるユーザインターフェースを含む。メモリモジュール１０４は、情報及び命令、例えばプロセッサにより実行されるアプリケーションを保存することができるＲＡＭ（ｒａｎｄｏｍ  ａｃｃｅｓｓ  ｍｅｍｏｒｙ）や他のタイプの動的保存素子、ＲＯＭ（ｒｅａｄ−ｏｎｌｙ  ｍｅｍｏｒｙ）素子または他のタイプの静的保存装置を含むことができる。
【００２６】
図２は、既存技術のＣＳＦＢに対するシーケンス図を例示する。ＬＴＥからＧＳＭ（登録商標）  ＥＤＧＥ無線アクセスネットワーク（ＧＥＲＡＮ）またはＵＴＲＡＮ（Ｕｎｉｖｅｒｓａｌ  ｔｅｒｒｅｓｔｒｉａｌ  Ｒａｄｉｏ  Ａｃｃｅｓｓ  Ｎｅｔｗｏｒｋ）への回路交換フォールバック（ＣＳＦＢ）方法は本開示に示される通りである。ＣＳＦＢ手順は、相異なる無線アクセスネットワーク（ＲＡＮ）タイプとコアネットワーク個体の間のインターフェースを含む。回路交換（ＣＳ）サービスをサポートするために、モバイルスイッチングセンタ（ＭＳＣ）サーバへの接続が設定される。進化したパケットシステムの移動管理エンティティ（ＭＭＥ）２０１がＳＧｓインターフェースを通してＭＳＣサーバにインターフェースする。ＣＳＦＢメカニズムがＭＭＥ２００ｂ及びＭＳＣ２００ｃ間のＳＧｓインターフェースを利用して具現される。ＣＳＦＢにおいて、フォールバックを開始及び準備するためのシグナリングメッセージを交換するためにＲＲＣ接続が常に設定される。音声通話を中断する場合、ＵＥ１００はページング（ｐａｇｉｎｇ）メッセージを受信しなければならない。モバイル発信通話の場合、ＵＥ１００はサービス要請メッセージを伝送しなければならない。ＵＥ１００は、音声通話が設定されるべきにデータ伝送に介入されることもある。
【００２７】
ＭＳＣ２００ｃがかかってきた音声通話を受信する場合、ＳＧｓインターフェースを通してＭＭＥ２００ｂにページング要請を送る（２０１）。ＭＭＥ２００ｂはＳ１接続を設定してＣＳサービス通知（ＣＳ  ＳＥＲＶＩＣＥ  ＮＯＴＩＦＩＣＡＴＩＯＮ）メッセージをＵＥ１００に伝送する（２０２）。ＭＭＥ２００ｂは、ＳＧｓインターフェースを通したサービス要請（ＳＥＲＶＩＣＥ  ＲＥＱＵＥＳＴ）メッセージを利用してＭＳＣ２００ｃに、ＵＥ１００が接続されたモードであることを通知する（２０３）。また、ＵＥ１００はＣＳサービス通知メッセージを受信する場合、拡張されたサービス要請（ＥＸＴＥＮＤＥＤ  ＳＥＲＶＩＣＥ  ＲＥＱＵＥＳＴ；（ＥＳＲ））メッセージを送る（２０４）。この要請メッセージは、ＭＭＥ２００ｂからのＣＳフォールバック要請に応答するために使用され、ＵＥ１００がＣＳフォールバックに対するページングを許可するか否かを示す“ＣＳＦＢ応答”インジケータを含む。ＵＥがそのＣＳＦＢを許可すると、ＭＭＥ２００ｂはＵＥコンテキスト修正要請（ＵＥ  ＣＯＮＴＥＸＴ  ＭＯＤＩＦＩＣＡＴＩＯＮ  ＲＥＱＵＥＳＴ）を通して、ｅＮｏｄｅＢ２００に、ＵＥ１００がＣＳＦＢ手順を通してＵＴＲＡＮまたはＧＥＲＡＮに移動しなければならないことを通知する（２０５）。
【００２８】
また、ｅＮｏｄｅＢ２００は、ＵＥ１００がＣＳフォールバックに対して準備されたことを記述するコンテキスト修正要請（ＣＯＮＴＥＸＴ  ＭＯＤＩＦＩＣＡＴＩＯＮ  ＲＥＳＰＯＮＳＥ）をＭＭＥ２００ｂに送る（２０６）。ｅＮｏｄｅＢ２００はＣＳＦＢ手順のためのターゲット無線アクセス技術に適合したキャリア周波数を決定するために、ＵＥ１００からＵＴＲＡＮまたはＧＥＲＡＮターゲットセルに対する評価報告書を要請する（２０７）。
【００２９】
ＧＥＲＡＮまたはＵＴＲＡＮへの再指定と共にＲＲＣ接続解除がこれからｅＮｏｄｅＢ２００により発生する（２０８）。またｅＮｏｄｅＢ２００は、ＭＭＥ２００ｂにＵＥコンテキスト解除要請（ＵＥ  ＣＯＮＴＥＸＴ  ＲＥＬＥＡＳＥ  ＲＥＱＵＥＳＴ）メッセージを通して、ＵＥ１００に対するＳ１接続を解除することを要請する（２０９）。このメッセージは、ＵＥ１００がターゲットセルにおけるパケット交換サービスを受信することができるか否かを特定することも行う。
【００３０】
また、ＵＥ１００は、ターゲット無線アクセス技術のセルを選択し、そのセルとの無線シグナリング接続を設定する。
【００３１】
図３は、本開示の実施形態によって、ＣＳＦＢシナリオで音声及び非音声通話を処理するＵＥに指示が提供されるシーケンス図を例示する。ＣＳＦＢ通話がＣＳ音声通話またはＣＳデータ通話であり得る場合、ＣＳ音声通話をＣＳ非音声（データ）通話と区別する方法は本開示で記述される通りである。
【００３２】
一実施形態でＣＳデータ通話は非限定的なものであって、ＵＳＳＤ通話、ファックス通話などを含み得る。
【００３３】
また、それぞれのＣＳデータ通話は、複数のサービスを具現するように設計された異なるタイプのサーバから開始される。例えば、ＵＳＳＤ通話は、ＵＳＳＤ通話により開始され、ファックス通話はそのサービスを提供するように設計された異なるサーバにより開始される。
【００３４】
一実施形態で、全てのＣＳデータ通話（ＵＳＳＤ通話、ファックス通話等）に対して、あるサーバ（たとえばＵＳＳＤサーバ３００）がＵＳＳＤ通話を開始し、ＵＳＳＤサーバ３００がＭＳＣ２００ｃにそのＵＳＳＤ通話に対して通知する（３０１）。他の例で、ファックス通話が他のサーバにより開始され、そのサーバはＭＳＣ２００ｃに該当ファックス通話に対して通知する。同様に、あるＣＳデータ通話を開始するそれぞれのサーバは、該当データ通話に対してＭＳＣ２００ｃに通知する。また、ＭＳＣ２００ｃは該当サーバからＣＳデータを受信する場合、そのデータ通話のタイプを識別できる（それがＵＳＳＤ通話であるかファックス通話であるか他のデータ通話であるか）。
【００３５】
例えば、ＵＳＳＤサーバ３００がＣＳＦＢシナリオでＵＥ１００にＵＳＳＤ通話を開始することを考慮する。図面を参照すれば、ＭＳＣ２００ｃはＵＳＳＤサーバ３００からそのＵＳＳＤ通話を受信し、ＳＧｓインターフェースを通してＭＭＥ２００ｂにＵＳＳＤ通話を示してページング要請を送る（３０２）。ＭＭＥ２００ｂはＳ１接続を設定しＣＳサービス通知メッセージをＵＥ１００に伝送する（３０３）。
【００３６】
一実施形態でＭＭＥ２００ｂは、ＣＳサービス通知メッセージの第１の指示を通してＵＥ１００にＣＳ音声またはＣＳデータ通話を送る。
【００３７】
また、ＭＭＥ２００ｂは、ＳＧｓインターフェースを通したサービス要請メッセージを利用して、ＭＳＣ２００ｃに、ＵＥ１００が接続されたモードであることを通知する（３０４）。また、ＵＥ１００は、ＣＳサービス通知メッセージを受信する場合、拡張されたサービス要請（ＥＳＲ）メッセージを送る（３０５）。この要請メッセージは、ＭＭＥ２００ｂからのＣＳフォールバック要請に応答するために使用され、ＵＥ１００がＣＳフォールバックに対するページングを許可するか否かを示す“ＣＳＦＢ応答”インジケータを含む。ＵＥ１００がそのＣＳＦＢを許可すると、ＭＭＥ２００ｂはＵＥテキスト修正要請（ＵＥ  ＣＯＮＴＥＸＴ  ＭＯＤＩＦＩＣＡＴＩＯＮ  ＲＥＱＵＥＳＴ）を通してｅＮｏｄｅＢ２００に、ＵＥ１００がＣＳＦＢ手順を通してＵＴＲＡＮまたはＧＥＲＡＮに移動されなければならないことを通知する（３０６）。
【００３８】
一実施形態でＭＭＥ２０１によりＵＥテキスト修正要請内の第１の指示を利用してＣＳ音声またはＣＳデータ通話指示がｅＮｏｄｅＢ２００に提供される。
【００３９】
また、ｅＮｏｄｅＢ２００は、ＵＥがＣＳフォールバックする準備ができていることを記述するコンテキスト修正応答（ＣＯＮＴＥＸＴ  ＭＯＤＩＦＩＣＡＴＩＯＮ  ＲＥＳＰＯＮＳＥ）をＭＭＥ２００ｂに送る（３０７）。ｅＮｏｄｅＢ２００は、ＣＳＦＢ手順のためのターゲット無線アクセス技術に適合したキャリア周波数を決定するためにＵＥ１００からＵＴＲＡＮまたはＧＥＲＡＮターゲットセルに対する評価報告書を要請する（３０８）。
【００４０】
ＧＥＲＡＮまたはＵＴＲＡＮへの再指定と共にＲＲＣ接続解除がこれからｅＮｏｄｅＢ２００により発生する（３０９）。
【００４１】
一実施形態で、ＣＳＦＢ通話がＣＳデータ通話であるかＣＳ音声通話であるかを示すための第１の指示は、再指定メッセージを通したＲＲＣ接続解除の際にＵＥ１００に提供される。
【００４２】
またＵＥ１００は、ＧＥＲＡＮやＵＴＲＡＮへの再指定を通したＲＲＣ接続解除を受信した後、ＣＳ音声通話またはＣＳデータ通話を示す第２の指示をターゲットＲＡＮに送る。
【００４３】
一実施形態で、ＵＥは第２の指示内の１ビット優先順位表示を通して、全ての音声通話をターゲットＲＡＮに送り、（ＵＥが位置する）ターゲットＲＡＮは、ＵＥ１００により提供された１ビット優先順位表示を利用してＣＳ音声通話をＣＳデータ通話から区別できる。またターゲットＲＡＮは、全ての音声通話を非音声通話より優先することができ、ＣＳＦＢシナリオにおけるＣＳ音声通話にＣＳデータ通話に比べて高い優先順位が付与される。
【００４４】
またｅＮｏｄｅＢ２００は、ＭＭＥ２００ｂにＵＥコンテキスト解除要請（ＵＥ  ＣＯＮＴＥＸＴ  ＲＥＬＥＡＳＥ  ＲＥＱＵＥＳＴ）メッセージを通して、ＵＥ１００に対するＳ１接続を解除することを要請する（３１０）。このメッセージはＵＥ１００がターゲットセルにおけるパケット交換サービスを受信できるか否かを特定することもできる。
【００４５】
上記の例でＣＳＦＢシナリオにおいて音声及び非音声通話を処理する方法及びシステムを示すためにＵＳＳＤ通話が利用されたが、サーバ（上記目的に合せて設計されたサーバ）により、いずれのＣＳデータ通話も開始でき、上記サーバはＭＳＣ２００ｃに上記ＣＳデータ通話を通知する。
【００４６】
一実施形態でＭＳＣ２００ｃは、上記サーバからＣＳＦＢ通話を受信する際に、ＣＳ音声通話をＣＳデータ通話から区別できる。
【００４７】
一実施形態で、ＵＥ１００は、ＬＴＥ側から着信された通話がＵＳＳＤ通話であることを認知した後、ＧＥＲＡＮネットワークに再指定される場合、初期ＲＡＣＨメッセージ自体を通して上記通話がＵＳＳＤによるものであり、ＣＳＦＢによるものであることを示すことができる。
【００４８】
一実施形態でＵＥ１００は任意の将来の段階で該当通話タイプをＲＡＮに指示できる（例：ＳＤＣＣＨ（Ｓｔａｎｄ−ａｌｏｎｅ  Ｄｅｄｉｃａｔｅｄ  Ｃｏｎｔｒｏｌ  Ｃｈａｎｎｅｌ｝メッセージを通して）。
【００４９】
一実施形態でＵＥ１００は、ＬＴＥ側から着信された通話がＵＳＳＤ通話である事実を認知した後、ＵＴＲＡＮネットワークに再指定される場合、初期ＲＡＣＨ（Ｒａｎｄｏｍ  Ａｃｃｅｓｓ  Ｃｈａｎｎｅｌ）メッセージ自体を通して、上記通話がＵＳＳＤによるものでありＣＳＦＢによるものであることを示すことができる。
【００５０】
一実施形態でＵＥ１００は任意の将来の段階で該当通話タイプを上記ネットワークに指示できる（例：一般制御チャンネルメッセージを通して）。
【００５１】
一実施形態で、ターゲット側、すなわち、ＧＥＲＡＮやＵＴＲＡＮネットワークにおけるＵＥ１００は、該当通話がＬＴＥネットワークからのＣＳＦＢによることであることを示し、音声用ＣＳＦＢとＵＳＳＤ（または、あるＣＳデータ通話）用ＣＳＦＢ間を区別する。
【００５２】
図４は、本開示の実施形態によって、ＣＳＦＢシナリオで音声及び非音声通話の両方を処理する方法及びシステムを具現するコンピュータ環境を例示する。図示するように、コンピュータ環境４０１は、制御ユニット４０２及び算術ロジックユニット（ＡＬＵ）４０３を具備した少なくとも一つのプロセシングユニット４０４、メモリ４０５、保存ユニット４０６、複数のネットワーキング装置４０８及び複数の入出力（Ｉ／Ｏ）装置４０７を含む。プロセシングユニット４０４は、アルゴリズムの命令語を処理することを担当する。プロセシングユニット４０４は、処理を遂行するために制御ユニットから命令を受信する。また、命令語の実行による全ての論理及び算術演算がＡＬＵ４０３の助けで計算される。
【００５３】
全般的なコンピュータ環境４０１は、複数の同種及び／または異種コア、相異なる種類の多様なＣＰＵ、特殊媒体及びその他の加速器からなることができる。プロセシングユニット４０４は、アルゴリズムの命令語を処理することを担当する。また複数のプロセシングユニット４０４は、一つのチップ上または複数のチップにかけて位置できる。
【００５４】
上記具現に必要な命令語とコードを含むアルゴリズムがメモリユニット４０５や保存部４０６またはその両方に保存される。実行する際に、上記命令語をプロセシングユニット４０４により、該当メモリ４０５及び／または保存部４０６からフェッチして実行できる。
【００５５】
あるハードウェアの具現例の場合、多様なネットワーキング装置４０８または外部Ｉ／Ｏ装置４０７がコンピュータ環境に接続され、そのネットワーキングユニット及びＩ／Ｏ装置ユニットを通して上記具現例をサポートすることができる。
【００５６】
本開示の実施形態は少なくとも一つのハードウェア装置上で実行されて構成要素を制御するネットワーク管理機能を遂行する少なくとも一つのソフトウェアプログラムを通して具現されることができる。図１乃至図４に図示される構成要素はハードウェア装置、ハードウェア装置及びソフトウェアモジュールの組み合わせのうち少なくとも一つのブロックを含む。
【００５７】
特定の実施形態に対する上記内容は本発明の実施形態の一般的な性格を十分に示して、他者が現在の知識を適用して一般概念を逸脱せずに、このような多様な適用例を容易に変形及び／または適応させ、適応及び変形は本開示の実施形態の意味及び範囲内に包括されなければならない。本明細書内で使用される語法や用語は限定するものではなく説明するためであることに留念すべきである。したがって、本発明の実施形態は望ましい実施形態と関連して記述されるが、当業者は本発明の実施形態が本開示のような実施形態の思想及び範囲内での変形を通して実施できることを認知する。
【００５８】
１００  ユーザ装置
１０１  通信インターフェースモジュール
１０２  電力モジュール
１０３  ディスプレイモジュール
１０４  メモリモジュール
２００  ｅＮｏｄｅＢ
３００  サーバ
４０１  コンピュータ環境
４０２  制御ユニット
４０４  プロセシングユニット
４０５  メモリ
４０６  保存部
４０７  入出力装置
４０８  ネットワーキング装置
【図１】
2015520578.tif 000003
【図２】
2015520578.tif 000004
【図３】
2015520578.tif 000005
【図４】
2015520578.tif 000006
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）における音声及び非音声通話を処理する方法であって、
ネットワーク切り替え（ｎｅｔｗｏｒｋ  ｓｗｉｔｃｈｉｎｇ）が必要な通話が発生することによって、前記ネットワーク切り替えが必要な通話が音声通話又は非音声通話であることを示す第１の指示を無線ネットワークから受信するステップと、
前記無線ネットワークから前記ネットワーク切り替えが必要な通話を受信し、前記第１の指示に基づいて選択されたターゲット無線アクセスネットワーク（ＲＡＮ）に、前記ネットワーク切り替えが必要な通話をルーティングするステップと、
前記通話が前記音声通話又は非音声通話であることを示す第２指示を前記ターゲットＲＡＮに提供するステップとを含むことを特徴とする通話処理方法。
【請求項２】
前記第１の指示は、ＲＲＣ（Ｒａｄｉｏ  Ｒｅｓｏｕｒｃｅ  Ｃｏｎｔｒｏｌ）接続解除メッセージ又は回路交換（ＣＳ）サービス通知メッセージを通して受信されることを特徴とする請求項１に記載の通話処理方法。
【請求項３】
前記第１の指示は、移動管理エンティティ（ＭＭＥ）から前記回路交換（ＣＳ）サービス通知メッセージを通して受信されることを特徴とする請求項２に記載の通話処理方法。
【請求項４】
前記第１の指示は、回路交換（ＣＳ）サービスのためにＧＥＲＡＮ（ＧＳＭ（登録商標）  Ｅｄｇｅ  Ｒａｄｉｏ  Ａｃｃｅｓｓ  Ｎｅｔｗｏｒｋ）又はＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に再指定するためにアクセスネットワークから前記ＲＲＣ接続解除メッセージを通して受信されることを特徴とする請求項２に記載の通話処理方法。
【請求項５】
前記第２指示は、前記音声通話に対する１ビットの優先順位情報を含むことを特徴とする請求項１に記載の通話処理方法。
【請求項６】
コアネットワーク（ＣＮ）における音声及び非音声通話を処理する方法であって、
ネットワーク切り替えが必要な通話を受信することによって、前記ネットワーク切り替えが必要な通話が音声通話又は非音声通話であることを示す第１の指示をユーザ装置（ＵＥ）に提供するステップと、
前記ＵＥのアクセスネットワーク（ＡＮ）に、前記第１の指示を利用してネットワーク切り替え音声通話又は非音声通話を指示するステップとを含むことを特徴とする通話処理方法。
【請求項７】
前記第１の指示は、回路交換（ＣＳ）サービス通知メッセージメッセージを通して前記ＵＥに提供されることを特徴とする請求項６に記載の通話処理方法。
【請求項８】
ＵＥコンテキスト修正要請を通して、前記ＡＮに前記ネットワーク切り替え音声通話又は非音声通話を指示することを特徴とする請求項６に記載の通話処理方法。
【請求項９】
少なくとも一つのサーバから少なくとも一つの非音声通話を受信したモバイルスイッチングセンタ（ＭＳＣ）から、前記少なくとも一つの非音声通話と共にページング要請を受信するステップをさらに含むことを特徴とする請求項６に記載の通話処理方法。
【請求項１０】
音声及び非音声通話を処理するユーザ装置（ＵＥ）であって、
無線ネットワークに接続する通信部と、
前記通信部を制御する制御部と、を含み、
前記制御部は、ネットワーク切り替えが必要な通話が発生することによって、前記ネットワーク切り替えが必要な通話が音声通話又は非音声通話であることを示す第１の指示を無線ネットワークから受信し、前記無線ネットワークから前記ネットワーク切り替えが必要な通話を受信し、前記第１の指示に基づいて選択されたターゲット無線アクセスネットワーク（ＲＡＮ）に前記ネットワーク切り替えが必要な通話をルーティングし、前記通話が前記音声通話又は非音声通話であることを示す第２指示を前記ターゲットＲＡＮに提供するように制御することを特徴とするユーザ装置。
【請求項１１】
前記第１の指示は、ＲＲＣ（Ｒａｄｉｏ  Ｒｅｓｏｕｒｃｅ  Ｃｏｎｔｒｏｌ）接続解除メッセージ又は回路交換（ＣＳ）サービス通知メッセージを通して受信されることを特徴とする請求項１０に記載のユーザ装置。
【請求項１２】
前記第１の指示は、移動管理エンティティ（ＭＭＥ）から前記回路交換（ＣＳ）サービス通知メッセージを通して受信されることを特徴とする請求項１１に記載のユーザ装置。
【請求項１３】
前記第１の指示は、回路交換（ＣＳ）サービスのためにＧＥＲＡＮ（ＧＳＭ（登録商標）  Ｅｄｇｅ  Ｒａｄｉｏ  Ａｃｃｅｓｓ  Ｎｅｔｗｏｒｋ  ）又はＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に再指定するためにアクセスネットワークから前記ＲＲＣ接続解除メッセージを通して受信されることを特徴とする請求項１１に記載のユーザ装置。
【請求項１４】
前記第２指示は、前記音声通話に対する１ビットの優先順位情報を含むことを特徴とする請求項１０に記載のユーザ装置。
【請求項１５】
音声及び非音声通話を処理するコアネットワーク（ＣＮ）であって、
ネットワーク切り替えが必要な通話を受信することによって、前記ネットワーク切り替えが必要な通話が音声通話又は非音声通話であることを示す第１の指示をユーザ装置（ＵＥ）に提供し、前記ＵＥのアクセスネットワーク（ＡＮ）に、前記第１の指示を利用してネットワーク切り替え音声通話又は非音声通話を指示する移動管理エンティティ（ＭＭＥ）を含むことを特徴とするコアネットワーク。
【請求項１６】
前記第１の指示は、回路交換（ＣＳ）サービス通知メッセージメッセージを通して前記ＵＥに提供されることを特徴とする請求項１５に記載のコアネットワーク。
【請求項１７】
前記ＭＭＥは、ＵＥコンテキスト修正要請を通して、前記ＡＮに前記ネットワーク切り替え音声通話又は非音声通話を指示することを特徴とする請求項１５に記載のコアネットワーク。
【請求項１８】
前記ＭＭＥは、少なくとも一つのサーバから少なくとも一つの非音声通話を受信したモバイルスイッチングセンタ（ＭＳＣ）から、前記少なくとも一つの非音声通話と共にページング要請を受信するステップをさらに含むことを特徴とする請求項１５にコアネットワーク。
【国際調査報告】
2015520578.tif 000007
2015520578.tif 000008